(57)【要約】【課題】前面が後傾した遊技機の間に設置されたときにも、遊技媒体を受ける後付け受皿が、遊技媒体貸出装置の遊技媒体受取口に簡単に着脱できるようにする。【解決手段】前面パネル２１のメダル受取口２２に装着したときに、上部側が前面パネル２１の後方に位置し、下部側が前面パネル２１の前方に位置する後傾したシュート１１と、シュート１１の下端部に連接されてメダル受取口２２の先付け受皿２３前方に位置するメダル貯留部１３とを備えると共に、シュート１１の下面に設けた係止手段１２の隙間１２Ｃに先付け受皿２３の前壁２３Ａの上縁が下側から挿入して、係止手段１２の前押え部材１２Ａと後押え部材１２Ｂとで前壁２３Ａに挟み込むように固着され、後付け受皿１０をメダル受取口２２に着脱自在に装着するようにしたメダル貸機。【選択図】図２
2005137565.tif 000002
【特許請求の範囲】
【請求項１】
前面パネル部分に設けられた遊技媒体受取口に後付け受皿を着脱可能に装着した遊技媒体貸出装置において、前記後付け受皿は前記遊技媒体受取口を囲繞形成している開口周縁部分と係合して前記遊技媒体受取口に係止する係止手段と、前記前面パネルへの装着時に上部側が前記前面パネルの後方に位置し、下部側が前記前面パネルの前方に位置する後傾したシュートと、このシュートの下端部に連接されて前記遊技媒体受取口の前方に位置する遊技媒体貯留部とを備えたことを特徴とする遊技媒体貸出装置。
【請求項２】
前記係止手段は前記遊技媒体受取口を囲繞形成している開口周縁を前後に挟持する挟持部材により形成されたことを特徴とする請求項１記載の遊技媒体貸出装置。
【請求項３】
前面パネル部分に設けられた遊技媒体受取口に後付け受皿を着脱可能に装着した遊技媒体貸出装置において、前記後付け受皿は前記遊技媒体受取口を囲繞形成している開口周縁の下側に装着された先付け受皿と係合して前記遊技媒体受取口に係止する係止手段と、前記前面パネルへの装着時に上部側が前記前面パネルの後方に位置し、下部側が前記前面パネルの前方に位置する後傾したシュートと、このシュートの下端部に連接されて前記遊技媒体受取口の前方に位置する遊技媒体貯留部とを備えたことを特徴とする遊技媒体貸出装置。
【請求項４】
前記係止手段は前記遊技媒体受取口を囲繞形成している開口周縁の下側に装着された前記先付け受皿を前後に挟持する挟持部材により形成されたことを特徴とする請求項３記載の遊技媒体貸出装置。
【請求項５】
前記係止手段の挟持部材は前記シュートの下面に突出して設けられ、前記遊技媒体受取口の開口周縁または前記先付け受皿の前後面の何れか一方に後付け受皿の移動可能な隙間が形成されたことを特徴とする請求項２または４記載の遊技媒体貸出装置。
【請求項６】
前記シュートの後端部は滑らかに湾曲して形成されていることを特徴とする請求項１〜５何れかに記載の遊技媒体貸出装置。
【請求項７】
前記シュートの左右両端部に側壁が設けられ、且つ、その側壁は遊技媒体貸出装置への装着時に前記前面パネルの前面に臨む部分が前記遊技媒体受取口より高く形成されたことを特徴とする請求項１〜５何れかに記載の遊技媒体貸出装置。
【請求項８】
前記係止手段を構成する挟持部材が、前記シュートの下面から短く垂設された後壁と、前記シュートの下面から後ろ壁より長く垂設された前壁とから形成されたことを特徴とする請求項２または４記載の遊技媒体貸出装置。
【請求項９】
前記後壁は、前傾した案内壁を下部側に備えて形成されたことを特徴とする請求項８記載の遊技媒体貸出装置。
【請求項１０】
前記係止手段を構成する挟持部材の前方に質量中心が位置することを特徴とする請求項２〜９何れかに記載の遊技媒体貸出装置。
【請求項１１】
上部前面が下部前面より後方に位置するパチスロなどの遊技機に隣接され、前面パネル部分に設けられた遊技媒体受取口に後付け受皿を着脱可能に装着した遊技媒体貸出装置において、前記前面パネルは前記遊技機の上部前面と略面一で、この遊技機の下部前面より後方に位置し、前記後付け受皿は前記遊技媒体受取口に装着されたときに前端が前記遊技機の下部前面より僅かに突出していることを特徴とする遊技媒体貸出装置。
【発明の詳細な説明】
【技術分野】
【０００１】
本発明はパチスロなどの遊技機の間に設置されて、遊技機で使用するメダルなどの遊技媒体を遊技客に貸出すための遊技媒体貸出装置に関する。
【背景技術】
【０００２】
この種の遊技媒体貸出装置としては、例えば後付け受皿１０Ｘを備えた図５に示した構成のメダル貸機２０Ｘが周知である（特許文献１参照。）。すなわち、メダル貸機２０Ｘにおいては、上側にプリペイドカードを投入するカード投入口２４を備えた前面パネル２１の下部側にメダル受取口２２が開口し、そこに後付け受皿１０Ｘが着脱自在に受容される構成となっている。
【０００３】
すなわち、遊技媒体貸出装置であるメダル貸機２０Ｘのメダル受取口２２には固定式の先付け受皿２３が設置され、その先付け受皿２３に別体に設けた後付け受皿１０Ｘが着脱自在に受容される構成となっている。
【０００４】
なお、メダル貸機２０Ｘの後付け受皿１０Ｘは、本体部分の一側に後付け受皿１０Ｘを掴持するための把手１８を備えると共に、メダル受取口２２の先付け受皿２３にスムーズに、且つ、確実に受容可能とするために、本体部分は先付け受皿２３と略同じ大きさ、すなわち把手１８側とその反対側の底は先付け受皿２３と同様に湾曲状に形成されている。また、本体部分と把手１８との結合部分には、先付け受皿２３の受口先縁に係合するための屈曲部１９が設けられている。
【０００５】
そして、メダル受取口２２の先付け受皿２３に後付け受皿１０Ｘを装着するときには、先ず先付け受皿２３に本体部分を受容させ、その状態で後付け受皿１０Ｘの屈曲部１９に先付け受皿２３の先縁を係合させて装着する。
【０００６】
そして、メダル貸機２０Ｘのカード投入口２４に所要のカードを投入してメダル貸機２０Ｘを起動し、図示しないメダルタンクから所定の枚数のメダルＭを払い出すと、その払い出されたメダルＭはメダル受取口２２内の先付け受皿２３に受容されている後付け受皿１０Ｘ内に溜まるので、把手１８を掴持して後付け受皿１０Ｘを先付け受皿２３から取り外し、そのまま遊技機であるパチスロ台に移し替えることができる。
【０００７】
【特許文献１】特開平１１−１９７３４２号公報
【発明の開示】
【発明が解決しようとする課題】
【０００８】
しかし、特許文献１に提案されたメダル貸機２０Ｘは、後付け受皿１０Ｘの本体部分を受取口２２の先付け受皿２３に受容する構造であったため、図６に示したように前面が後傾したパチスロ機３０の間に設置するときには、後付け受皿１０Ｘがパチスロ機３０の前端から大きく後退した所に位置し、そのために把手１８を掴持して後付け受皿１０Ｘをメダル受取口２２の先付け受皿２３に着脱することが困難であると云った問題点があった。
【０００９】
すなわち、パチスロ機３０同士の間に設置されるメダル貸機２０Ｘは、パチスロ機３０の前方に突出すると外観が不恰好になるので、パチスロ機３０の後退している上部側で両者の前面が面一となるように設置される。また、パチスロ機３０の前面には、左右方向に回動してパチスロ機３０の前面を開閉する透明なガラス製の蓋（図示せず）が取付けられており、その蓋を開けたときにもメダル貸機２０Ｘの前側部分と蓋とが干渉することがないように、メダル貸機２０Ｘはパチスロ機３０の前面より後退した位置に設置される。
【００１０】
また、パチスロ機３０の設置台数を稼ぐために、パチスロ機３０同士の間に設置されるメダル貸機２０Ｘは、一般に僅か１０ｃｍの幅で製作されている。したがって、パチスロ機３０同士の間に設置されたときには、パチスロ機３０の前面から可なり奥まった位置にある感じがすると共に、メダルが払い出された後付け受皿１０Ｘを掴持してメダル受取口２２に着脱するときには、手を窄めて行う必要があり、不便を感じていた。また、把手１８が小さいために、付け爪をした女性などには、特に取り扱い難いものとなっていた。
【００１１】
そのため、メダルなどの遊技媒体を受ける後付け受皿が、遊技媒体貸出装置の遊技媒体受取口に簡単に着脱できるようにする必要があり、それが解決すべき課題であった。
【課題を解決するための手段】
【００１２】
本発明は、前面パネル部分に設けられた遊技媒体受取口に後付け受皿を着脱可能に装着した遊技媒体貸出装置において、前記後付け受皿は前記遊技媒体受取口を囲繞形成している開口周縁部分と係合して前記遊技媒体受取口に係止する係止手段と、前記前面パネルへの装着時に上部側が前記前面パネルの後方に位置し、下部側が前記前面パネルの前方に位置する後傾したシュートと、このシュートの下端部に連接されて前記遊技媒体受取口の前方に位置する遊技媒体貯留部とを備えることを最も主要な特徴とする。
【発明の効果】
【００１３】
本発明の遊技媒体貸出装置においては、前面パネル部分の遊技媒体受取口に着脱可能な後付け受皿を有し、その後付け受皿が遊技媒体受取口を囲繞形成している開口周縁部分と係合して遊技媒体受取口に係止する係止手段と、前面パネルへの装着時に上部側が前面パネルの後方に位置し、下部側が前面パネルの前方に位置する後傾したシュートと、そのシュートの下端部に連接されて遊技媒体受取口の前方に位置する遊技媒体貯留部とを備えるので、例えばその遊技媒体貯留部が隣接する遊技機の下部側前端と略一致する寸法で作製することも可能であり、遊技媒体貸出装置に設けた遊技媒体受取口への後付け受皿の着脱が極めて容易になり、しかも、後付け受皿の後端部は滑らかに湾曲して形成されるので、遊技媒体貯留部に溜まっているメダルなどの遊技媒体を受皿にシュートを利用して簡単に入れることができる。
【発明を実施するための最良の形態】
【００１４】
前面パネル部分に設けた遊技媒体受取口に着脱可能に設ける後付け受皿を、前面パネルへの装着時に上部側が前面パネルの後方に位置し、下部側が前面パネルの前方に位置する後傾したシュートと、このシュートの下端部に連接されて遊技媒体受取口の前方に位置する遊技媒体貯留部と、シュートの下面に設けられて遊技媒体受取口を囲繞形成している開口周縁を前後に挟持する挟持部材からなる係止手段とで構成するようにした遊技媒体貸出装置。
【実施例１】
【００１５】
本発明の一実施例を、図１〜図４に基づいて説明する。なお、理解を容易にするため、これらの図面においても前記図５・図６において説明した部分と同様の機能を有する部分には、同一の符号を付した。
【００１６】
本発明のメダル貸機２０も、前面パネル２１に開設されたメダル受取口２２と、そのメダル受取口２２に固定された先付け受皿２３と、さらにその先付け受皿２３に着脱自在に装着される後付け受皿１０とを備えている。なお、前面パネル２１の上部側には、メダル貸機２０を動作させる際にカードを投入するためのカード投入口２４が開設されている。
【００１７】
本発明のメダル貸機２０の後付け受皿１０は、遊技用のメダルＭを滑落させるためのシュート１１を備えている。シュート１１は、メダル受取口２２に装着されたときに、上部側が前面パネル２１の後方に位置し、下部側が前面パネル２１の前方に位置するように後傾して設けられ、そのシュート１１の下端部にはメダル貯留部１３が連接され、メダル貯留部１３が先付け受皿２３の前方に位置する構成となっている。しかも、後付け受皿１０の前面パネル２１の後方に位置する後端部は滑らかに湾曲した形状に形成されている。
【００１８】
シュート１１の下面にはメダル滑落面形成方向と同じ方向に形成されてシュート１１の補強と、先付け受皿２３の前壁２３Ａの前面に当接する平行に設けられた２つの前押え部材１２Ａと、メダル滑落面形成方向と直交して交叉する先付け受皿２３の前壁２３Ａの背面側の先端部に当接する後押え部材１２Ｂとで、係止手段１２が設けられている。
【００１９】
係止手段１２は前押え部材１２Ａと後押え部材１２Ｂとで形成される隙間１２Ｃに先付け受皿２３の前壁２３Ａを挿入させることで、後付け受皿１０を取り付けている。後押え部材１２Ｂは前押え部材１２Ａの前壁２３Ａに当接する面に対して下端を拡げるように傾斜して設けられている。隙間１２Ｃはシュート１１の下面側を頂点とする三角形状に形成され、取り付け時および取り外し時に後付け受皿１０が頂点を支点に回動することで、着脱が容易になるように設けられている。また、全体の質量中心Ｇは、前押え部材１２Ａの前壁２３Ａへの当接面より前方に位置するように部材バランスが図られている。
【００２０】
また、シュート１１の両側には側壁１４が立設され、図示しない払出機構によりメダルタンクから払い出され、上方から落下してシュート１１の上を滑落するメダルＭが、先付け受皿２３の前方に位置するメダル貯留部１３まで確実に案内されるようになっている。
【００２１】
したがって、本発明のメダル貸機２０においては、後付け受皿１０をメダル受取口２２に装着するときには、前面パネル２１の前方からシュート１１をメダル受取口２２に挿入し、シュート１１の端部が背面に当接すると前押え部材１２Ａと後押え部材１２Ｂとで形成される隙間１２Ｃに先付け受皿２３の前壁２３Ａを嵌め合わせるように後付け受皿１０を上から下に移動させシュート１１の下面を支点に後付け受皿１０を回動させる。
【００２２】
そして、一対の前押え部材１２Ａが前壁２３Ａの前面に当接する位置で後付け受皿１０は先付け受皿２３の上部で保持される。しかも、後付け受皿１０の質量中心Ｇが先付け受皿２３の前壁２３Ａの前方にあるので、メダルＭが貯留されているときは勿論、メダルＭが貯留されていなくても前押え部材１２Ａが前壁２３Ａに当接する。また、後ろ押え部材１２Ｂは後付け受皿１０を前に引き出そうとするのを押えることで、メダル受取口２２に安定して取り付けられる。
【００２３】
上記構成のメダル貸機２０の後付け受皿１０は、メダル受取口２２に装着されているときには、メダル貯留部１３を持って上方に持ち上げるように回動させてから係止手段１２を前壁２３Ａから上方へ引き抜くように外し、前面パネル２１の背面側に位置するシュート１１の上部側をメダル受取口２２を介して抜き出すことができ、しかも、引き出した後付け受皿１０はシュート１１を利用してメダル貯留部１３に溜まっているメダルＭをパチスロ機３０の受皿に簡単に移し変えることができるようにしてある。
【００２４】
しかも、前面が後傾したパチスロ機３０同士の間に本発明のメダル貸機２０が従来のメダル貸出機２０Ｘと同様、すなわち上部側の前面が一致するように設置され、そのメダル貸機２０のメダル受取口２２に後付け受皿１０が装着されたときには、後付け受皿１０は両側に位置するパチスロ機３０の下部側前端から大きく後退することなく、パチスロ機３０の前面に近いところに位置するので、メダル受取口２２に対する後付け受皿１０の着脱操作が困難になると云った不都合は生じない。
【００２５】
なお、本発明は上記実施例に限定されるものではないので、特許請求の範囲に記載の趣旨から逸脱しない範囲で各種の変形実施が可能である。
【００２６】
例えば、メダル受取口２２に装着される先付け受皿２３としては、前面パネル２１に開設されたメダル受取口２２に固定されたものであっても良いし、前後に多少スライドして、メダル受取口２２からメダル貸機２０の筐体内部に収納したり、メダル受取口２２から前方に幾分突出させることが可能に装着されたものであっても良い。
【００２７】
また、メダル受取口２２に先付け受皿２３を備えず、メダル受取口２２が開設されている前面パネル２１の開口周縁に、後付け受皿１０を直接着脱自在に装着する構成にすることも可能である。
【００２８】
また、特許文献１に開示された後付け受皿１０Ｘのように、適宜の形状の把手をメダル貯留部１３の前方などに設けることも可能である。
【００２９】
また、後付け受皿１０の側壁１４は、メダル受取口２２を囲繞形成している前面パネル２１との間に十分大きな間隙ができるように上下方向の寸法を図２に示した場合より短くし、後付け受皿１０を単に水平移動と上下移動とをさせるだけで、係止手段２と前壁２３Ａとの嵌合／分離が行えるようにすることも可能である。
【００３０】
また、後付け受皿１０の側壁１４は、図２に仮想線で示したようにメダル貸機２０への装着時に、前面パネル２１の前面に臨む部分を遊技媒体受取口２２より高く形成し、その高く形成した側壁１４の垂直壁面１４Ａを前面パネル２１の前面に当接した状態で後付け受皿１０全体を押し下げると、シュート１１裏面の係止手段１２の隙間１２Ｃに先付け受皿２３の前壁２３Ａの上縁が下側から嵌入して、後付け受皿１０がメダル受取口２２に着脱自在に装着されるように構成することも可能である。
【００３１】
また、遊技媒体受取口２２に着脱自在に装着された後付け受皿１０の前面が、両側に設置されたメダル貸機２０の前面より僅か、例えば１〜３ｃｍ程度突出するように設けることも可能である。このような構成のメダル貸機２０では、パチスロ機とメダル貸機２０とが交互に配設された遊技島の端に立つだけで、メダル受取口２２に着脱自在に装着にされていた後付け受皿１０が、所定位置に戻されているか、それとも戻されていないかが簡単に調べられると云った利点がある。
【００３２】
また、メダル貯留部１３の底板、前壁などにメダルＭの通過が可能な大きさの開口部を設け、その開口部が蓋体によって適宜開閉できるにようにすることも可能である。
【図面の簡単な説明】
【００３３】
【図１】本発明のメダル貸機の説明図である。
【図２】本発明のメダル貸機の要部を示す説明図である。
【図３】本発明のメダル貸機の後付け受皿を示す説明図であり、（Ａ）は斜視図、（Ｂ）は底面図である。
【図４】本発明のメダル貸機がパチスロ機同士の間に設置された状態を示す説明図である。
【図５】従来のメダル貸機の説明図である。
【図６】従来のメダル貸機がパチスロ機同士の間にされた状態を示す説明図である。
【符号の説明】
【００３４】
１０、１０Ｘ  後付け受皿
１１  シュート
１２  係止手段
１２Ａ  前押え部材
１２Ｂ  後押え部材
１２Ｃ  隙間
１３  メダル貯留部
１４  側壁
１４Ａ  垂直壁面
１５  回転防止面
１８  把手
１９  屈曲部
２０、２０Ｘ  メダル貸機
２１  前面パネル
２２  メダル受取口
２３  先付け受皿
２３Ａ  前壁
２４  カード投入口
３０  パチスロ機
Ｇ  質量中心
Ｍ  メダル
【図１】
2005137565.tif 000003
【図２】
2005137565.tif 000004
【図３】
2005137565.tif 000005
【図４】
2005137565.tif 000006
【図５】
2005137565.tif 000007
【図６】
2005137565.tif 000008